(57)【特許請求の範囲】
【請求項１】
並設した一対の第１チューブ容器体（A1）及び第２チューブ容器体（A2）と、注出キャップ（Ｂ）とを備え、注出キャップ（Ｂ）を、キャップ本体（B1）と、回転部材（B2）と、吐出口部材（B3）とで構成し、キャップ本体（B1）は、第１チューブ容器体A1の第１口頸部（4a）内と連通してその上方に起立した第１隆起筒部（15a ）及び第２チューブ容器体（A2）の第２口頸部（4b）内と連通してその上方に起立した第２隆起筒部（15b ）を備え、各隆起筒部の上部内側にそれぞれ、同一中心の曲率半径をもつ第１凹部（16a ）及び第２凹部（16b ）を凹設して、各第１凹部（16a ）及び第２凹部（16b ）の曲面に第１連通孔（17a ）及び第２連通孔（17b ）をそれぞれ穿設してなり、回転部材（B2）は、第１凹部（16a ）及び第２凹部（16b ）  の円弧状の各奥壁に外周を摺動可能に嵌合させたシール筒（30）を備え、シール筒（30）に連通用の第１透孔（35a ）  及び第２透孔（35b ）を備え、シール筒（30）の上端より延設した頂壁（31）外周縁より周壁（32）を垂設してキャップ本体（B1）に対して回転可能に装着してなり、吐出口部材（B3）は、第１隆起筒部（15a ）及び第２隆起筒部（15b ）の下部間に回転不能に下部を嵌合させるとともに、シール筒（30）内周に外周面を液密に嵌合させた円柱状の流路形成部（52）上に頂板部（53）を延設し、第１連通孔（17a ）の対向位置から頂板部（53）に設けた吐出口（54）又は第１吐出口（54a ）に至る流路と、第２連通孔（17b ）の対向位置から吐出口（54）又は第２吐出口（54b ）に至る流路とを流路形成部（52）内に穿設してなり、回転部材（B2）は、第１口頸部（4a）から吐出口（54）又は第１吐出口（54a ）に至る第１流路（p1）及び第２口頸部（4b）から吐出口（54）又は第２吐出口（54b ）に至る第２流路（p2）を遮断し、回転部材（B2）を回転させて第１透孔（35a ）或いは第２透孔（35b ）をそれぞれ第１連通孔（17a ）或いは第２連通孔（17b ）に重複させることにより、第１流路（p1）或いは第２流路（p2）を介しての、液の選択的な吐出が可能に構成したことを特徴とする二連チューブ容器。
【請求項２】
回転部材（B2）が、第１流路（p1）及び第２流路（p2）を両方遮断する位置から、第１流路（p1）が連通し且つ第２流路（p2）が非連通の位置、第１流路（p1）が非連通で且つ第２流路（p2）が連通する位置を介して第１流路（p1）及び第２流路（p2）を両方遮断する位置までの所定幅の回転が可能に構成した請求項１記載の二連チューブ容器。
【請求項３】
前記第１流路（p1）が連通する直前及び第２流路（p2）が連通する直前に、それぞれ凸部（37）が振動板（19）を乗り越える如く構成してなる請求項２記載の二連チューブ容器。
【請求項４】
回転部材（B2）の回動位置により合致して、それぞれ第１流路（p1）の連通状態及び第２流路（p2）の連通状態を表示する目印を注出キャップ（Ｂ）外表面に設けた請求項１乃至請求項３のいずれかに記載の二連チューブ容器。
【発明の詳細な説明】
【技術分野】
【０００１】
本発明は二連チューブ容器に関し、詳しくは、二種類の収容物を個別に吐出することのできる二連チューブ容器に関する。
【背景技術】
【０００２】
二連のチューブ容器体で形成した混合用クリーム状物注出容器が提案されている。（例えば，特許文献１参照）
【０００３】
上記二連チューブ容器は、垂直に設けた平板部と垂直湾曲板部とで、上方筒部を横断面ほぼ半円状に形成した、異種クリーム状物収納用の左右一対をなす胴部形成用筒部下端を、上記垂直平板部相互を面接触させた状態で左右方向からの挟着により四層をなす一枚の平板状シール板部として閉塞するとともに、各筒部上端からは肩部を介して口頸部を起立する、弾性圧搾可能な合成樹脂製二連チューブ容器本体と、上記各口頸部外面へ嵌合させた左右一対の嵌合筒を有し、これ等両嵌合筒を囲んで頂板外周から外筒を垂下するとともに、該外筒上部にヒンジを介して付設した蓋板を外筒上端部へ開閉自在に嵌合させたキャップとからなり、上記蓋板開閉により、上記嵌合筒と連通して頂板上面へ開口するノズル口を開閉自在に設け、又上記一対の胴部形成用筒部の対向面を形成する、上記垂直平板部下方の壁部には、互いに噛み合う凹条と凸条とをそれぞれ縦設したことを特徴とする。
【特許文献１】特開２００２−５９９４４号公報
【発明の開示】
【発明が解決しようとする課題】
【０００４】
上記した二連チューブ容器は、異種クリーム状物を同時に吐出して混合状態で吐出する如く構成したものであるが、近年のこの種の内容物の多様化に伴い、二種類のものを混合せずに順次使用する形態の化粧品，薬剤，その他の製品が出現し、これらに適した容器が要望されている。
【０００５】
本発明は上記した点に鑑みてなされたもので、二種類の液を一種類づつ吐出することが可能で、一方の液の吐出時には他方の液の流路を自動的に遮断させておくことができ、また、非使用時には両方の液の流路を遮断させておくことができ、しかも、それらの切り換えは回転部材を回転させるという極めて簡単な操作で行える二連チューブ容器を提案する。
【課題を解決するための手段】
【０００６】
第１の手段として、以下の通り構成した。即ち、並設した一対の第１チューブ容器体A1及び第２チューブ容器体A2と、注出キャップＢとを備え、注出キャップＢを、キャップ本体B1と、回転部材B2と、吐出口部材B3とで構成し、キャップ本体B1は、第１チューブ容器体A1の第１口頸部4a内と連通してその上方に起立した第１隆起筒部15a 及び第２チューブ容器体A2の第２口頸部4b内と連通してその上方に起立した第２隆起筒部15b を備え、各隆起筒部の上部内側にそれぞれ、同一中心の曲率半径をもつ第１凹部16a 及び第２凹部16b を凹設して、各第１凹部16a 及び第２凹部16b の曲面に第１連通孔17a 及び第２連通孔17b をそれぞれ穿設してなり、回転部材B2は、第１凹部16a 及び第２凹部16b の円弧状の各奥壁に外周を摺動可能に嵌合させたシール筒30を備え、シール筒30に連通用の第１透孔35a 及び第２透孔35b を備え、シール筒30の上端より延設した頂壁31外周縁より周壁32を垂設してキャップ本体B1に対して回転可能に装着してなり、吐出口部材B3は、第１隆起筒部15a 及び第２隆起筒部15b の下部間に回転不能に下部を嵌合させるとともに、シール筒30内周に外周面を液密に嵌合させた円柱状の流路形成部52上に頂板部53を延設し、第１連通孔17a の対向位置から頂板部53に設けた吐出口54又は第１吐出口54a に至る流路と、第２連通孔17b の対向位置から吐出口54又は第２吐出口54b に至る流路とを流路形成部52内に穿設してなり、回転部材B2は、第１口頸部4aから吐出口54又は第１吐出口54a に至る第１流路p1及び第２口頸部4bから吐出口54又は第２吐出口54b に至る第２流路p2を遮断し、回転部材B2を回転させて第１透孔35a 或いは第２透孔35b をそれぞれ第１連通孔17a 或いは第２連通孔17b に重複させることにより、第１流路p1或いは第２流路p2を介しての、液の選択的な吐出が可能に構成したことを特徴とする二連チューブ容器。
【０００７】
第２の手段として、以下の通り構成した。即ち、前記第１の手段に於いて、回転部材B2が第１流路p1及び第２流路p2を両方遮断する位置から、第１流路p1が連通し且つ第２流路p2が非連通の位置、第１流路p1が非連通で且つ第２流路p2が連通する位置を介して第１流路p1及び第２流路p2を両方遮断する位置までの所定幅の回転が可能に構成した。
【０００８】
第３の手段として、以下の通り構成した。即ち、前記第２の手段に於いて、前記第１流路p1が連通する直前及び第２流路p2が連通する直前に、それぞれ凸部37が振動板19を乗り越える如く構成してなる。
【０００９】
第４の手段として、以下の通り構成した。即ち、前記第１の手段乃至第３の手段のいずれかの手段に於いて、回転部材B2の回動位置により合致して、それぞれ第１流路p1の連通状態及び第２流路p2の連通状態を表示する目印を注出キャップＢ外表面に設けた。
【発明の効果】
【００１１】
本発明の二連チューブ容器は、二種の異なる液をそれぞれ単独に順次吐出することができる利点がある。また、切り換えも回転部材B2を回転させるという極めて簡単な操作で済む為、使い勝手も非常によろしい。また、部材数を極力少なくすることができ、その組み付け操作も容易で、且つ、取り扱いも容易となるという利点がある。
【００１２】
回転部材B2が第１流路p1及び第２流路p2を両方遮断する位置から、第１流路p1が連通し且つ第２流路p2が非連通の位置、第１流路p1が非連通で且つ第２流路p2が連通する位置を介して第１流路p1及び第２流路p2を両方遮断する位置までの所定幅の回転が可能に構成した場合には、回転部材B2の無駄な回転を極力避けることができ、また、吐出する液の順番を変えることができる利点がある。
【００１３】
前記第１流路p1が連通する直前及び第２流路p2が連通する直前に、それぞれ凸部37が振動板19を乗り越える如く構成してなるものにあっては、感触で、また、音で各流路が連通したことを確認することができる利点がある。
【００１４】
吐出口部材B3と、回転部材B2とに、それぞれ第１流路p1の連通状態及び第２通路の連通状態で合致する目印を設けた場合には、より確実に各流路の連通を確認できる。
【発明を実施するための最良の形態】
【００１６】
以下、本発明の実施例の形態を図面を参照して説明する。
【００１７】
図１及び図７は二連チューブ容器１の実施例１を示すもので、二連チューブ容器１は、第１チューブ容器体A1と、第２チューブ容器体A2と、注出キャップＢとを備えている。
【００１８】
第１チューブ容器体A1は、第１胴部2aの上端より第１肩部3aを介して第１口頸部4aを起立している。同様に第２チューブ容器体A2は、第２胴部2bの上端より第２肩部3bを介して第２口頸部4bを起立して構成している。第１口頸部4a及び第２口頸部4b内にはそれぞれ第１吐出弁5a及び第２吐出弁5bを設けている。
【００１９】
注出キャップＢは、キャップ本体B1と、回転部材B2と、吐出口部材B3とから構成している。
【００２０】
キャップ本体B1は、頂板11の裏面より垂設した第１嵌合筒10a 及び第２嵌合筒10b を、第１口頸部4a及び第２口頸部4b外周に、凹凸係合手段を介して上方への抜け出しを防止してそれぞれ嵌合させ、頂板11の外周縁からは外周壁12を垂設している。第１嵌合筒10a 及び第２嵌合筒10b は中央部で一体に連結している。また、頂板11の第１口頸部4a及び第２口頸部4b対応位置に第１窓孔13a 及び第２窓孔13b をそれぞれ穿設し、第１窓孔13a の周縁より垂設した筒状の第１シール部14a を第１口頸部4a内周に、第２窓孔13b の周縁より垂設した筒状の第２シール部14b を第２口頸部4b内周に、それぞれ液密に嵌合させている。
【００２１】
更に、第１窓孔13a の周縁より上方へ第１隆起筒部15a を、第２窓孔13b の周縁より上方へ第２隆起筒部15b をそれぞれ立設している。第１隆起筒部15a 及び第２隆起筒部15b にはそれぞれの上部の中心側を外方へ凹ませて形成した第１凹部16a 及び第２凹部16b を凹設している。第１凹部16a 及び第２凹部16b は同一曲率中心を持つ円弧状の奥壁を備えており、第１凹部16a の円弧状の奥壁には第１連通孔17a を、同様に第２凹部16b の円弧状の奥壁には第２連通孔17b をそれぞれ穿設している。
【００２２】
回転部材B2は、キャップ本体B1に対して回転可能に装着したもので、第１凹部16a 及び第２凹部16b の円弧状の各奥壁に外周を摺動可能に嵌合させた円筒状のシール筒30を備え、シール筒30の上端より外方へ、下面を第１隆起部15a 及び第２隆起部15b 上面に摺動可能に嵌合させた頂壁31を延設し、頂壁31の外周縁より周壁32を下方へ垂設している。頂壁31の周縁部の各第１隆起筒部15a 及び第２隆起筒部15b 外周位置に於いて、円筒形の垂下壁33を垂設しており、垂下壁33の下部内周には係合突部34を突周設しており、第１隆起筒部15a 及び第２隆起筒部15b の所定位置にそれぞれ突設した係止突起18下面に係合させて上方への抜け出し防止を図っている。また、周壁32の内面所定位置に突設したリブ39は、キャップ本体B1の頂板11上所定位置に立設した一対の係止板21，21とで、回転部材B2の必要回転幅を規制する回転規制機構を構成するもので、リブ39が一方の係止板21の一側面に当接する状態から、他方の係止板21の一側面に当接するまでの間の回転を可能としている。また、シール筒30の所定位置には第１透孔35a 及び第２透孔35b を穿設している。
【００２３】
回転部材B2の係合突部34下面所定位置には凸部37を突設し、一方キャップ本体B1の頂板11上面所定位置には振動板19を立設している。この振動板19は凸部37が乗り越えると振動して音を発し、また、感触的にも凸部37が振動板19を乗り越えたことを知覚することができる。この振動板19と凸部37を設ける場所は、第１連通孔17a に第１透孔35a が連通する直前に凸部37が振動板19を乗り越え、また、第２連通孔17b に第２透孔35b が連通する直前に凸部37が振動板19を乗り越える位置にそれぞれ設置する。
【００２４】
吐出口部材B3は、第１隆起筒部15a 及び第２隆起筒部15b 間に凹凸係合手段により上方への抜け出しを防止して嵌着させた筒部50を備え、筒部50の外面に縦設した係合突条51を第２隆起筒部15b 外面下部に縦設した係合凹溝20に嵌合させることにより回転を防止してキャップ本体B1に対して固定している。また、筒部50の上部にはシール筒30内周に周縁部を液密摺動可能に嵌合させた円柱状の流路形成部52を備え、更に、流路形成部52上に頂板部53を延設している。
【００２５】
流路形成部52には第１連通孔17a から頂板部53中央に設けた吐出口54に至る流路と、第２連通孔17b から吐出口54に至る流路とを画成している。前記各流路は、図１の状態ではシール筒30により遮断されているが、シール筒30を回転させることにより、第１透孔35a が第１連通孔17a の位置に回転した際に、第１口頸部4aから第１隆起筒部15a 内を介して吐出口54に至る第１流路p1が連通し、また、シール筒30を更に回転させて第２透孔35b が第２連通孔17b の位置に回転した際に、第２口頸部4bから第２隆起筒部15b 内を介して吐出口54に至る第２流路p2が連通する如く構成している。
【００２６】
また、回転部材B2と、吐出口部材B3の頂板部53には第１流路p1の連通状態、第２流路p2の連通状態を示す目印を設けている。目印は、回転部材B2の頂壁31縁部所定位置に設けた矢印38と、吐出口部材B3の頂板部53周縁部所定位置に設けた三角形状の第１マーク55，第２マーク56、第３マーク57，第４マーク58とから構成している。そして、矢印38が各マークと合致した際にそれぞれの状態を現出する。第１マーク55の場合には、第１流路p1及び第２流路p2が遮断されており、第２マーク56の場合には、第１流路p1が連通し、第２流路p2が遮断されており、第３マーク57の場合には、第１流路p1が遮断され、第２流路p2が連通しており、第４マーク58の場合には、第１流路p1及び第２流路p2が遮断されている。
【００２７】
上記の如く構成した二連チューブ容器１を使用する場合について説明する。図１の状態では、図４に示す如く、リブ39の一端面に一方の係止板21の一端面が当接しており、また、矢印38が第１マーク55と合致している。更に、第１連通孔17a 及び第２連通孔17b はシール筒30により閉塞されて第１流路p1及び第２流路p2が遮断された状態にある。
【００２８】
この状態から回転部材B2の周壁32を掴んで反時計廻り方向に回転させて、第５図に示す如く、矢印38を第２マーク56と合致させると第１連通孔17a に第１透孔35a が重複し、第２図に示す様に第１流路p1が連通する。この際その直前に凸部37が振動板19を乗り越えて聴覚的及び視覚的に両者が重複したことが判る。その状態で第１胴部2aを圧搾すれば、収容液は第１吐出弁5aを開いて第１流路p1を介し、吐出口54から吐出される。尚、この際第２流路p2は遮断されている。
【００２９】
次いで、更に回転部材B2を反時計廻りに回転させて、第６図に示す如く、矢印38を第３マーク57と合致させると、第２連通孔17b に第２透孔35b が重複し、第３図に示す様に第２流路p2が連通する。この際も直前に凸部37が振動板19を乗り越えて両者が重複したことが判る。そこで第２胴部2bを圧搾すれば、収容液は第２吐出弁5bを開いて第２流路p2を介し、吐出口54から吐出される。この際には第１流路p1は遮断されている。次いで、更に反時計廻りに回転部材B2を回転させて矢印38を第４マーク58と合致させると、第２連通孔17b もシール筒30により閉塞され、第１流路p1及び第２流路p2ともに遮断された状態となる。この場合、図７に示す如く、リブ39の他端面が他方の係止板21の一端面に当接してそれ以上の回転が不能となる。
【００３０】
尚、上記例では、ひとつの吐出口54に、第１流路p1と第２流路p2とが合流する形態をとっているが、図８の実施例２に示す如く、第１流路p1が連通する第１吐出口54a と、第２流路p2が連通する第２吐出口54b とを別々に開口しても良い。
【図面の簡単な説明】
【００３１】
【図１】二連チューブ容器の要部縦断面図である。（実施例１）
【図２】二連チューブ容器の要部縦断面図である。（実施例１）
【図３】二連チューブ容器の要部縦断面図である。（実施例１）
【図４】二連チューブ容器の使用を説明する説明図である。（実施例１）
【図５】二連チューブ容器の使用を説明する説明図である。（実施例１）
【図６】二連チューブ容器の使用を説明する説明図である。（実施例１）
【図７】二連チューブ容器の使用を説明する説明図である。（実施例１）
【図８】二連チューブ容器の要部縦断面図である。（実施例２）
【符号の説明】
【００３２】
１…二連チューブ容器
A1…第１チューブ容器体
2a…第１胴部，3a…第１肩部，4a…第１口頸部，5a…第１吐出弁
A2…第２チューブ容器体
2b…第２胴部，3b…第２肩部，4b…第２口頸部，5b…第２吐出弁
Ｂ…注出キャップ
B1…キャップ本体
10a …第１嵌合筒，10b …第２嵌合筒，11…頂板，12…外周壁，
13a …第１窓孔，13b …第２窓孔，14a …第１シール部，14b …第２シール部，        15a …第１隆起筒部，15b …第２隆起筒部，16a …第１凹部，16b …第２凹部，        17a …第１連通孔，17b …第２連通孔，18…係止突起，19…振動板，
20…係合凹溝，21…係止板
B2…回転部材
30…シール筒，31…頂壁，32…周壁，33…垂壁部，34…係合突部，
35a …第１透孔，35b …第２透孔，37…凸部，38…矢印，39…リブ
B3…吐出口部材
50…筒部，51…係合突条，52…流路形成部，53…頂板部，54…吐出口，
54a …第１吐出口，54b …第２吐出口，55…第１マーク，56…第２マーク，
57…第３マーク，58…第４マーク，p1…第１流路，p2…第２流路
【図１】
0005131743.tif 000002
【図２】
0005131743.tif 000003
【図３】
0005131743.tif 000004
【図４】
0005131743.tif 000005
【図５】
0005131743.tif 000006
【図６】
0005131743.tif 000007
【図７】
0005131743.tif 000008
【図８】
0005131743.tif 000009